(57)【要約】【課題】ヘルメットを被ったときの安全性を高める、被り心地が調整可能なヘルメットインナーライニングを提供する。【解決手段】被り心地が調整可能なヘルメットインナーライニングは、ライニング体、少なくとも１つの挟層袋１３Ａ及び少なくとも１つの弾性パッド２を備える。ライニング体は、人体の頭部と接触される内側面と、内側面に対応した外側面とを有する。挟層袋１３Ａは、ライニング体の外側面又は内側面に配設される。弾性パッド２は、挟層袋１３Ａ内に配設される。ライニング体は、頭頂部１１を有する。挟層袋１３Ａは、頭頂部１１に配設される。ライニング体には、頭頂部１１に接続された後頭部が設けられる。挟層袋１３Ａは、長方形を呈する。【選択図】図４
0003231126.tif 000002
【実用新案登録請求の範囲】
【請求項１】
ライニング体、少なくとも１つの挟層袋及び少なくとも１つの弾性パッドを備えた、被り心地が調整可能なヘルメットインナーライニングであって、
前記ライニング体は、人体の頭部と接触される内側面と、前記内側面に対応した外側面と、を有し、
前記挟層袋は、前記ライニング体の前記外側面又は前記内側面に配設され、
前記弾性パッドは、前記挟層袋内に配設されることを特徴とする、被り心地が調整可能なヘルメットインナーライニング。
【請求項２】
前記ライニング体は、頭頂部を有し、
前記挟層袋は、前記頭頂部に配設されることを特徴とする請求項１に記載の被り心地が調整可能なヘルメットインナーライニング。
【請求項３】
前記ライニング体には、前記頭頂部に接続された後頭部が設けられ、
前記後頭部には、前記挟層袋が配設されることを特徴とする請求項２に記載の被り心地が調整可能なヘルメットインナーライニング。
【請求項４】
前記挟層袋は、長方形を呈することを特徴とする請求項２又は３に記載の被り心地が調整可能なヘルメットインナーライニング。
【請求項５】
前記挟層袋は、長方形を呈する上層材と、長方形を呈する下層材と、を有し、
前記下層材の２つの長辺及び１つの短辺が前記ライニング体の外表面に固定され、前記下層材の他方の短辺に下開口が形成され、前記上層材の２つの長辺及び一方の短辺は、前記ライニング体の外表面に固定され、前記上層材の他方の短辺に上開口が形成され、前記上層材が有する前記上開口の一端の一部と、前記下層材が有する前記下開口の一端の一部とが重なり、前記上開口が前記下層材上に位置し、前記下開口が前記上層材の下に位置することを特徴とする請求項４に記載の被り心地が調整可能なヘルメットインナーライニング。
【請求項６】
前記頭頂部に位置する前記挟層袋は、その長方形の長手方向が前記頭頂部の前後方向で延びることを特徴とする請求項５に記載の被り心地が調整可能なヘルメットインナーライニング。
【請求項７】
前記後頭部に位置する前記挟層袋は、その長方形の長手方向が前記後頭部の左右方向で水平に延びることを特徴とする請求項５に記載の被り心地が調整可能なヘルメットインナーライニング。
【請求項８】
前記弾性パッドは、発泡材料からなるブロック体であることを特徴とする請求項１に記載の被り心地が調整可能なヘルメットインナーライニング。
【請求項９】
前記発泡材料は、スポンジ又はフォームであることを特徴とする請求項８に記載の被り心地が調整可能なヘルメットインナーライニング。
【考案の詳細な説明】
【技術分野】
【０００１】
本考案は、被り心地が調整可能なヘルメットインナーライニングに関するものである。
【背景技術】
【０００２】
ヘルメットを被ると、一般に暑苦しくて頭部が汗をかいて皮脂を沢山分泌させるため、ヘルメット内側のライニングにより皮脂及び汗を吸って悪臭を発して不衛生である上、感染症の問題などが発生する虞もあるため、衛生面を重視する使用者は、インナーライニングにより頭部とヘルメットとを離間させ、汗及び皮脂を吸収したインナーライニングを容易に交換して洗浄することができる。
【０００３】
上述したインナーライニングは、ヘルメットの規格及び形態に応じて組み合わせるが、それはフルフェイス式、３／４フェイス式、ハーフフェイス式など数種類に分けられる。フルフェイス式インナーライニングを頭部に被ると、頭部及び首部を覆い、目を露出させることができる目の部分のみ穴が開いているため、プロレーサーが被って使用するのに適する。３／４フェイス式インナーライニングは、頭頂部及び後頭部を覆うことができるため、自動二輪車のライダーが被るのに適している。ハーフフェイス式インナーライニングは、頭頂部のみ覆い、自動二輪車のライダー及び工事現場の作業員が被って使用するのに適する。フルフェイス式インナーライニング以外に、３／４フェイス式インナーライニング及びハーフフェイス式インナーライニングもヘルメットの内側面に直接固定させることができるため、容易に使用することができる。
【０００４】
市販されているヘルメットは、消費者が選択できるように多種類の寸法規格が提供されているが、規格が限定されているため、頭部の形状及び寸法がそれぞれ異なる個人使用者に完全に合わせることは困難であり、使用者がヘルメットを被ると、ヘルメットの内側と頭部との間にわずかながら間隙が生じてフィット性が下がり、頭部が動いたときにヘルメットが揺れ、事故が発生してヘルメットに外力が加わると、頭部に余計な作用力が発生して負傷してしまう虞がある。
【考案の概要】
【考案が解決しようとする課題】
【０００５】
本考案の主な目的は、ヘルメットインナーライニングの複数の所定位置に挟層袋を配設し、使用者の頭部とヘルメットの内側面との間の間隙の大きさに応じ、挟層袋に適宜な厚さの弾性パッドを挿入し、ヘルメットを被った後、インナーライニング及び弾性パッドを利用して頭部とヘルメットとの間の密着度を高め、ヘルメットを被ったときの安全性を高める、被り心地が調整可能なヘルメットインナーライニングを提供することにある。
【課題を解決するための手段】
【０００６】
上記課題を解決するために、本考案の第１の形態によれば、ライニング体、少なくとも１つの挟層袋及び少なくとも１つの弾性パッドを備えた、被り心地が調整可能なヘルメットインナーライニングであって、前記ライニング体は、人体の頭部と接触される内側面と、前記内側面に対応した外側面と、を有し、前記挟層袋は、前記ライニング体の前記外側面又は前記内側面に配設され、前記弾性パッドは、前記挟層袋内に配設されることを特徴とする、被り心地が調整可能なヘルメットインナーライニングを提供する。
【図面の簡単な説明】
【０００７】
【図１】本考案の一実施形態に係るフルフェイス式インナーライニング構造を示す斜視図である。
【図２】本考案の一実施形態に係る３／４フェイス式インナーライニング構造を示す斜視図である。
【図３】本考案の一実施形態に係るハーフフェイス式インナーライニング構造を示す斜視図である。
【図４】本考案の一実施形態に係るライニング体の頭頂部に配設した挟層袋構造と、挟層袋及び弾性パッドの組合せ関係を示す斜視図である。
【図５】本考案の一実施形態に係るライニング体の後頭部に配設した挟層袋構造と、挟層袋及び弾性パッドの組合せ関係を示す斜視図である。
【図６】本考案の一実施形態に係る被り心地が調整可能なヘルメットインナーライニングは、使用者がインナーライニング及びヘルメットを被った後、弾性パッドにより頭部とヘルメットとの間を支える状態を示す断面図である。
【図７】従来のフルフェイス式ヘルメットを示す斜視図である。
【図８】従来の３／４フェイス式ヘルメットを示す斜視図である。
【図９】従来のハーフフェイス式ヘルメットを示す斜視図である。
【考案を実施するための形態】
【０００８】
以下、図面により、本考案を具体的に説明する。もっとも、本考案は、かかる図面により限定されるものではない。
【０００９】
（第１実施形態）
図１を参照する。図１は、本考案の第１実施形態に係るフルフェイス式インナーライニング構造を示す斜視図である。図１に示すように、フルフェイス式インナーライニング１Ａは、全体が頭部形状を呈するライニング体を有し、頭部に被ると、頭部だけでなく首部も覆われ、目の部分のみ露出される目の穴部分１４を有するため、プロレーサーが被る図７のフルフェイス式ヘルメット３Ａと組み合わせて使用するのに適する。ライニング体は、人体の頭部と接触される内側面と、内側面に対応した外側面と、を有する。外側面の上側には、人体頭部の上端に対応した頭頂部１１が設けられる。外側面の後側には、頭頂部１１に接続されるとともに、人体頭部の後頭部に対応した後頭部１２が形成されている。第１実施形態では、実際の必要に応じて頭頂部１１及び後頭部１２に少なくとも１つの挟層袋１３Ａ，１３Ｂがそれぞれ設けられる。図１に示すように、第１実施形態の頭頂部１１は、３つの細長い挟層袋１３Ａを有する。後頭部１２は、大きめの挟層袋１３Ｂを有する。
【００１０】
図４を参照する。図４に示すように、第１実施形態において、ライニング体の頭頂部１１に配設された挟層袋１３Ａは、細長い長方形を呈してもよく、その長方形の長手方向は、頭頂部１１の前後方向で延ばされてもよい。上述した挟層袋１３Ａは、長方形の上層材１３１と、長方形の下層材１３２と、を有し、下層材１３２の２つの長辺及び１つの短辺がライニング体の外表面に固定され、下層材１３２の他方の短辺に下開口１３２１が形成される。上層材１３１の２つの長辺及び１つの短辺を、ライニング体の外表面に固定し、上層材１３１の他方の短辺に上開口１３１１が形成されている。上層材１３１が有する上開口１３１１の一端の一部と、下層材１３２が有する下開口１３２１の一端の一部とが重なり、上開口１３１１が下層材１３２の上方に位置し、下開口１３２１が上層材１３１の下方に位置する。そのため、弾性パッド２は、押圧されてから上層材１３１の上開口１３１１を介し、上層材１３１及び下層材１３２により構成された挟層袋１３Ａ内に挿入され、上開口１３１１と下開口１３２１とを重ねると、弾性パッド２が挟層袋１３Ａから外れることを防ぐことができる。
【００１１】
また、上層材１３１及び下層材１３２は、織布又は不織布でもよく、縫着、熱溶融圧着方式により、その三辺をライニング体の外表面に固定させてもよい。
【００１２】
弾性パッド２は、発泡材料からなるブロック体でもよい。例えば、発泡材料は、スポンジ（ｓｐｏｎｇｅ）又はフォーム（ｆｏａｍ）でもよい。弾性パッド２は、様々な厚さを有する規格でもよく、使用者は、実際のニーズに応じて適切な厚さの弾性パッド２を選択して挟層袋１３Ａ内に挿入し、弾性パッド２が頭部とヘルメットとの間に配設されているため、快適な被り心地が得られる。
【００１３】
図５を参照する。図５に示すように、第１実施形態は、ライニング体の後頭部１２に配設した挟層袋１３Ｂが大きめの面積の矩形状を呈し、その長方形の長手方向は、後頭部１２の左右方向で水平に延びる。後頭部１２に配設した挟層袋１３Ｂと、頭頂部１１に配設した挟層袋１３Ａとは、同じ構造を有して寸法のみ異なる。言い換えると、上述した挟層袋１３Ｂは、矩形状の上層材１３１及び矩形状の下層材１３２を有し、下層材１３２の２つの短辺及び１つの長辺をライニング体の外表面に固定し、下層材１３２の他方の長辺には、下開口１３２１が形成される。上層材１３１の２つの短辺及び一方の長辺をライニング体の外表面に固定し、上層材１３１の他方の長辺には、上開口１３１１が形成されている。上層材１３１が有する上開口１３１１の一端の一部と、下層材１３２が有する下開口１３２１の一端の一部を重ね、上開口１３１１が下層材１３２の上方に位置し、下開口１３２１が上層材１３１の下方に位置する。そのため、弾性パッド２が押圧されてから上層材１３１の上開口１３１１を介し、上層材１３１と下層材１３２とにより構成された挟層袋１３Ａ内に挿入され、上開口１３１１と下開口１３２１とを重ねると、弾性パッド２が挟層袋１３Ａから外れることを防ぐことができる。
【００１４】
図６を参照する。図６に示すように、第１実施形態は、ライニング体の頭頂部１１に配設された挟層袋１３Ａ（図１を参照する）と、後頭部１２に配設された挟層袋１３Ｂとを利用し、弾性パッド２を挿入すると、頭部の上側及び後側がヘルメットとの間で最適に支えられ、異なる寸法の弾性パッド２と容易に交換することもできる。また、使用者は、頭部の形状及び寸法に応じて様々な密度の発泡材料からなる弾性パッド２を選択して挿入するか交換して高いフィット性を得ることができる。
【００１５】
（第２実施形態）
図２を参照する。図２は、本考案の一実施形態に係る３／４フェイス式インナーライニング構造を示す斜視図である。図２に示すように、３／４フェイス式インナーライニング１Ｂは、頭部の約４分の３の体積を覆うライニング体を有し、頭部に被るとき、頭部の上側、両側及び後側を覆い、前側のみが開放されて顔が露出されているため、一般の自動二輪車のライダーが被る図８に示す３／４フェイス式ヘルメット３Ｂと組み合わせて使用することができる。上述した第１実施形態と同様に、ライニング体は、人体の頭部が接触される内側面と、内側面に対応した外側面と、を有する。外側面の上側には、人体の頭部上端に対応した頭頂部が設けられる。外側面の後側には、頭頂部に接続されるとともに、人体の頭部後側に対応した後頭部が設けられる。第２実施形態は、実際の必要に応じて頭頂部及び後頭部に、少なくとも１つの挟層袋１３Ａ，１３Ｂがそれぞれ配設される。例えば、図２の第２実施形態では、頭頂部に、３つの細長い挟層袋１３Ａが配設され、後頭部に大きめの挟層袋１３Ｂが配設される。挟層袋１３Ａ，１３Ｂの構造は、上述した第１実施形態と同じであるため、ここでは詳しく述べない。
【００１６】
（第３実施形態）
図３を参照する。図３は、本考案の第３実施形態に係るハーフフェイス式インナーライニング構造を示す斜視図である。図３に示すように、ハーフフェイス式インナーライニング１Ｃは、頭部の上半分の体積を覆うライニング体を有し、頭部に被ると、頭部の上側、両側の一部が覆われるため、一般の自動二輪車のライダー又は工事現場の作業員が被る図９のハーフフェイス式ヘルメット３Ｃと組み合わせて使用することができる。上述した第１実施形態と同様に、ライニング体は、人体の頭部が接触される内側面と、内側面に対応した外側面と、を有する。外側面の上側には、人体の頭部上端に対応した頭頂部が設けられる。外側面の後側には、頭頂部に接続されるとともに、人体頭部の後側に対応した小面積の後頭部が設けられる。第３実施形態は、実際の必要に応じて頭頂部及び後頭部に、少なくとも１つの挟層袋１３Ａ，１３Ｂがそれぞれ配設される。例えば、図３に示す第３実施形態では、頭頂部に、３つの細長い挟層袋１３Ａが配設され、後頭部に大きめの挟層袋１３Ｂが配設される。挟層袋１３Ａ，１３Ｂの構造については、上述した第１実施形態と同じであるため、ここでは詳しく述べない。
【００１７】
前述した挟層袋１３Ａ，１３Ｂは、ライニング体の外側面の他、ライニング体の内側面にも配設され、ライニング体の内側面に配設すると、頭部に被せたときに頭部とライニング体との間に空間が形成され、高い通気性が得られる。
【００１８】
上述したことから分かるように、本考案の被り心地が調整可能なヘルメットインナーライニングは、使用者の頭部の形状及び寸法に応じて適宜な厚さの弾性パッドを組み合わせることにより、ヘルメットを被ったときの被り心地及びフィット性を調整し、インナーライニング及び弾性パッドを利用することにより、頭部にヘルメットを被ったときのフィット性を高めることができる。
【符号の説明】
【００１９】
１Ａ  フルフェイス式インナーライニング
１Ｂ  ３／４フェイス式インナーライニング
１Ｃ  ハーフフェイス式インナーライニング
２  弾性パッド
３  ヘルメット
３Ａ  フルフェイス式ヘルメット
３Ｂ  ３／４フェイス式ヘルメット
３Ｃ  ハーフフェイス式ヘルメット
１１  頭頂部
１２  後頭部
１３Ａ  挟層袋
１３Ｂ  挟層袋
１４  目の穴部分
１３１  上層材
１３２  下層材
１３１１  上開口
１３２１  下開口
【図１】
0003231126.tif 000003
【図２】
0003231126.tif 000004
【図３】
0003231126.tif 000005
【図４】
0003231126.tif 000006
【図５】
0003231126.tif 000007
【図６】
0003231126.tif 000008
【図７】
0003231126.tif 000009
【図８】
0003231126.tif 000010
【図９】
0003231126.tif 000011
【手続補正書】
【提出日】令和2年12月22日(2020.12.22)
【手続補正１】
【補正対象書類名】実用新案登録請求の範囲
【補正対象項目名】請求項７
【補正方法】変更
【補正の内容】
【請求項７】
前記ライニング体には、前記頭頂部に接続された後頭部が設けられ、
前記後頭部に位置する前記挟層袋は、その長方形の長手方向が前記後頭部の左右方向で水平に延びる
ことを特徴とする請求項５に記載の被り心地が調整可能なヘルメットインナーライニング。